(57)【特許請求の範囲】
【請求項１】
金網で構成された直方体形状の籠と、この籠を平面内で、且つ前記直方体形状の長手方向に沿った分割面で２分割して形成された部屋と、この籠を河川の方向と前記直方体形状の長手方向を一致させて前記河川の岸に設置した状態で、河川の深み側の前記部屋に結束を行わずに詰められた木の枝と、河川の岸側の前記部屋に詰められた石と、前記結束を行わない枝も十分に使用できる前記金網のメッシュ度と、を備えたことを特徴とする粗朶ふとん籠。
【請求項２】
前記木の枝及び石を詰めた籠は、複数のものが積層されて用いられ、少なくとも最上段の籠は、上面に蓋金網が設けられていることを特徴とする請求項１に記載の粗朶ふとん籠。
【発明の詳細な説明】
【技術分野】
【０００１】
この発明は、河川の護岸に用いられ、内部に石を詰めて使用する金網籠の構造に関する。
【背景技術】
【０００２】
金網籠の内部に石を詰めて河川の護岸に用いられるものは、ふとん籠と呼ばれている。河川の増水時などに流量や流速が大きくなった水の力に対し、個々の石では簡単に流されてしまうのに対し、金網籠にまとめられている大量の石群は、あたかも大きな一個の岩のように重く、また、凸凹で隙間のある石群により水のエネルギーを砕いて分散させ、流されずに護岸作用を果たす。
【０００３】
また、石群は、一個の岩に比べ表面積が大きく、さらに金網籠にまとめられた側面が水にさらされるので水の出入りが多く、表面につく生物膜の働きにより従って汚水浄化機能に優れる。
また、粗朶とは、雑木から伐採した木の枝のことをいう。桜、かえで、マンサク、楢、柳、藤、葡萄などの枝が挙げられる。粗朶は、小規模な水路の護岸などに利用される。例えば、水路の岸に複数の杭を並べて打ち込み、粗朶の長い枝を横方向にして、各杭に交互に絡ませながら配置し、次々と積み上げて壁状にする。この壁の外側に土や石を配し、護岸する。粗朶の作る多孔質な空間はさまざまな動植物が住みかとなすことができ、生物層が豊かになり、これらの動植物をえさとする虫や小魚が住み着き、やがて大型の魚や鳥が生息するようになる。
【０００４】
以上のふとん籠と粗朶の自然環境への利点を兼ね備えるべく、ふとん籠の外側に、粗朶を束ねて１５〜４０ｃｍに結束したものを固定した技術が、次の特許文献１に記載される。
【特許文献１】特開２００１−５５７１６
【発明の開示】
【発明が解決しようとする課題】
【０００５】
しかしながら、以上の特開２００１−５５７１６の技術によれば、水に流されないよう粗朶の結束を行うのにある程度の熟練が必要であり、自然環境への利点は大きいものの、実際に施行するには困難が伴う。
そこで、この発明は、熟練が必要なく、ふとん籠と粗朶の自然環境への利点を兼ね備えた粗朶ふとん籠を提供することを課題とする。
【課題を解決するための手段】
【０００６】
以上の課題を解決するために、第一発明は、金網で構成された直方体形状の籠と、この籠を平面内で、且つ前記直方体形状の長手方向に沿った分割面で２分割して形成された部屋と、この籠を河川の方向と前記直方体形状の長手方向を一致させて前記河川の岸に設置した状態で、河川の深み側の前記部屋に結束を行わずに詰められた木の枝と、河川の岸側の前記部屋に詰められた石と、前記結束を行わない枝も水に流されず十分に使用できる前記金網のメッシュ度と、を備えたことを特徴とする粗朶ふとん籠である。
第二発明は、更に、前記木の枝及び石を詰めた籠は、複数のものが積層されて用いられ、少なくとも最上段の籠は、上面に蓋金網が設けられていることを特徴とする粗朶ふとん籠である。
【０００７】
第一発明、または第二発明によれば、粗朶などと呼ばれる木の枝を、金網で構成された籠内の分割された部屋に投げ込んで詰めるだけでよく、金網に阻まれて水に流されることは無いので、従来のように、水に流されないように粗朶の結束を行う必要が無く、したがって熟練が無くても容易に、ふとん籠と粗朶の自然環境への利点を兼ね備えた粗朶ふとん籠を得られる。
【０００８】
第二発明によれば、さらに、深い河川の護岸も容易に行うことができる。また、金網蓋により粗朶の流失も防げる。
【発明を実施するための最良の形態】
【０００９】
この発明の実施形態を、図１、及び図２に示す。
この実施形態に係る粗朶ふとん籠１は、金網３で構成され、全体が直方体形状をなす。金網３の針金は、例えば亜鉛メッキ鉄線であり、例えば４ｍｍ線を使用することで、１３年から２５年程度の使用が可能となる。
この籠１は、この直方体形状の長手方向に沿った分割面（仕切り網５）で２分割され、２つの部屋７、８を形成する。籠１の河川９の岸への設置は、河川９の流れ方向と直方体形状の長手方向を一致させて行われる。
【００１０】
そして、２つの部屋７、８のうち、河川９の深み側の部屋７に木の枝１１を詰め（図１（Ｃ））、河川９の岸側の部屋８に石１５を詰める（図１（Ａ））。例えば、深み側の部屋７の川幅方向の幅は５００ｍｍ、岸側の部屋８の川幅方向の幅は７００ｍｍである。
石１５の種類は、その河川９にある石１５を使用する場合には、その河川９の石１５によって大よそ定まるが、その詰められる石１５の大きさよりも小さなメッシュ度を有する金網３が使われる。また、別の場所から採取した、例えば２０ｃｍ程度の割栗石を使用しても良い。
【００１１】
また、この実施形態でいう粗朶とは、特別の木の種類ではなく、単なる木の枝１１でかまわない。従来のように、杭に交互に絡ませながら配置する必要も無いので、柔軟性のある木の種類に限らない。また、金網３のメッシュ度を小さくすることで、小さな径の枝１１、短い枝１１であっても十分に使用できる。常時水中に存在した粗朶は、空気を遮断され、半永久的ともいえるほどに長期に機能を果たす。
【００１２】
木の枝及び石１５を詰めた籠１は、複数のものが積層されて用いられうる（図１（Ｂ））。各籠１の上面に蓋金網が設けられ、枝１１や石１５が詰められた後に、金網蓋は針金で籠１に連結される。蓋金網が設けられているので、積層作業が容易に行われる。積層された各籠１は、互いに針金で連結される。
なお、すべての籠１に蓋金網を設けるのではなく、最上段の籠１の上面に蓋金網が設けられるものとしても良い。この場合には、下の段の籠１は、上の段の籠１の底部によって自然に蓋がされる。
【００１３】
また、部屋７が分割されていない通常のふとん籠１との併用も可能である（図２）。
また、水面に木の枝１１が露出する場合には、覆土し、柳の木を挿し木するなどして、柳の群生地、あるいは水辺に生息可能な植物の群生地を創出しても良い。
【００１４】
「実施形態の効果」
この実施形態によれば、粗朶などと呼ばれる木の枝１１を、金網３で構成された籠１内の分割された部屋７に投げ込んで詰めるだけでよい。上の段の籠１の底部や金網蓋によって蓋がされる。これらにより、金網３に阻まれて水に流されることは無い。したがって、従来のように、水に流されないように粗朶の結束を行う必要が無く、よって熟練が無くても容易に、ふとん籠１と粗朶の自然環境への利点を兼ね備えた粗朶ふとん籠１を得られる。
【００１５】
また、金網３によって直方体形状をなし分割された部屋７を有するというシンプルな構成によって、粗朶ふとん籠１が得られ、コストを抑えられる。
さらに、積層して用いることで、深い河川９の護岸も容易に行うことができる。
ふとん籠１と粗朶の自然環境への利点を兼ね備え、金網籠にまとめられている大量の石群は、重く、凸凹で隙間のある石群により水のエネルギーを砕いて分散させ、流されずに護岸作用を果たし、更に表面積が大きく、表面につく生物膜の働きにより浄化機能に優れる。のみならず、この浄化された水中環境と生物膜の生物に加え、粗朶の作る多孔質な空間は、より大きなさまざまな動植物が住みかとなすことができ、水辺に生息できる木１７なども生えうる。このように生物層が豊かになり、これらの動植物をえさとする虫や小魚が住み着き、やがて大型の魚や鳥が生息するようになる。
【００１６】
以上のように、石群と枝群との併用により、生物にとってより自然に近い環境を作り出すことができる。
また、二つの部屋７の大きさの比率は、その河川９の水質にとってもっとも適した割合に、任意に調節できる。
【図面の簡単な説明】
【００１７】
【図１】（Ａ）は、この実施形態に係る粗朶ふとん籠の斜視図（Ｂ）は、（Ａ）の粗朶ふとん籠を積層して用いた状態を示す断面図（Ｃ）は、（Ａ）の粗朶ふとん籠に石を詰める前の状態を示す図である。
【図２】図１（Ｂ）に相当する断面図で、通常のふとん籠と併用する実施形態を示す図である。
【符号の説明】
【００１８】
１…籠、３…金網、５…網、７…部屋、９…深み側の部屋、１１…枝、１３…岸側の部屋、１５…石、１７…木。
【図１】
0003695456.tif 000002
【図２】
0003695456.tif 000003